(57)【要約】【課題】電柱に取り付けられている通信線、光ファイバー線、広告物その他の付属物が既設物として電柱に取り付けられていても、街路灯の灯部が既設物により邪魔されることなく、道路に対して直交するように設置することができる技術を提供すること。【解決手段】街路灯（１）の支柱であり電柱（２）に取り付けられる共架アーム（３）と、該共架アーム（３）に取付けられ、光を発する発光部が設けられた灯部（４）と、前記共架アーム（３）を電柱（２）に対して左右に回動可能に取り付ける設置部材（５）とを備えることを特徴とする街路灯１。【選択図】図２
2013251062.tif 000002
【特許請求の範囲】
【請求項１】
街路灯の支柱であり電柱に取り付けられる共架アームと、
該共架アームに取付けられ、光を発する発光部が設けられた灯部と、
前記共架アームを電柱に対して左右に回動可能に取り付ける設置部材とを備えることを特徴とする街路灯。
【請求項２】
前記設置部材は、前記共架アームの電柱に対する角度を固定する位置決め手段を有することを特徴とする請求項１に記載の街路灯。
【請求項３】
前記設置部材は、前記共架アームを電柱に取り付けるため前記共架アームの上位に位置する上位取付金具と、該上位取付金具の下方に位置する下位取付金具とを有し、
前記上位取付金具は、上下方向に開口したアーム通し孔を有し、該アーム通し孔を形成する壁面で前記共架アームの水平方向の位置を規制することで前記共架アームを回動可能に保持し、
前記下位取付金具は、底部を有する管状の管部を有し、該管部において前記共架アームの下端を受容することで、前記共架アームを回動可能に保持することを特徴とする請求項２に記載の街路灯。
【請求項４】
前記位置決め手段は、
前記上位取付金具において、前記共架アームを横方向から押圧するボルトと、
前記下位取付金具において、前記共架アームの下端部を締め付けるロックナットとを有することを特徴とする請求項３に記載の街路灯。
【請求項５】
前記上位取付金具及び前記下位取付金具は、各々上下に異なる位置において電柱に固定されており、
前記アーム通し孔は、第一アーム通し孔及び、第二アーム通し孔が交わってできた形状をしており、
前記上位取付金具が固定される位置における電柱の太さと、前記下位取付金具が固定される位置における電柱の太さの関係に応じて、前記共架アームに、前記第一アーム通し孔を貫通させるか、前記第二アーム通し孔を貫通させるかを変更可能としたことを特徴とする請求項３または４に記載の街路灯。
【請求項６】
街路灯の支柱であり電柱に取り付けられる共架アームの電柱への取付方法であって、
前記共架アームを回動可能に装着する取付金具を電柱に取り付ける工程と、
前記共架アームを前記取付金具に装着する工程と、
前記取付金具に装着された前記共架アームを左右に回動させて、道路に対して所定位置となるよう調整する工程と、
前記共架アームを前記取付金具に固定する工程とを有する共架アームの電柱への取付方法。
【発明の詳細な説明】
【技術分野】
【０００１】
本発明は街路灯、詳しくは電柱に設置される街路灯に関する。
【背景技術】
【０００２】
街路灯において、光を発する発光部が設けられた灯部は、街路灯が設置されている道路に対して直交するように設置する必要がある。これは、街路灯の光が灯部の両サイドを照射するように設計されているからである。そのため、これまでの街路灯は、電柱その他の設置場所（以下電柱）の正面（道路側から電柱を正対して見た面）に設置しなければならなかった（図２０（ａ）参照）。
すなわち、街路灯は、道路の照明という性格上、細長い楕円状の配光になるように設計されているため、電柱の正面に設置することによって街路灯の光を横方向に拡げることができ、道路を有効に照明することができる。
【０００３】
ところで、従来の街路灯においては、灯部は、電柱に設置するための設置部材に対する位置や角度が固定され動かすことができなかった。
また電柱には、通信線、光ファイバー線、広告物その他の、電柱への付属物が取り付けられており、それらが街路灯を電柱の正面に設置するのに障害となることがあった。そして、これらの障害物の隙間をぬって街路灯を設置すると、街路灯を電柱の正面に設置することができず横を向いてしまう場合があった。
【０００４】
そうすると、光が道路からはみ出し、はみ出た光が民家や庭など道路沿いの家屋や施設（図２０（ｂ）の斜線部参照）を照らすことになる。これでは、街路灯がその性能を十分に発揮できないばかりか、光が本来照らす位置とは異なった位置を照らす光の害、いわゆる光害の原因になってしまう場合があった。
【先行技術文献】
【特許文献】
【０００５】
【特許文献１】特開２００８−２１０７１１号公報
【発明の概要】
【発明が解決しようとする課題】
【０００６】
本発明は、このような事情に鑑みて為されたものであり、その解決しようとする課題は、通信線、光ファイバー線、広告物その他の付属物が既設物として電柱に取り付けられていても、街路灯の灯部を道路に対して直交するように設置することができる技術を提供することにある。
【課題を解決するための手段】
【０００７】
上記課題を解決するために、本発明では次の手段を採用した。
すなわち、本発明の街路灯は、街路灯の支柱であり電柱に取り付けられる共架アームと、該共架アームに取付けられ、光を発する発光部が設けられた灯部と、前記共架アームを電柱に対して左右に回動可能に取り付ける設置部材とを備えることを特徴とする。
【０００８】
前記設置部材は、共架アームの電柱に対する角度を固定する位置決め手段を有することを特徴としてもよい。
【０００９】
前記設置部材は、前記共架アームを電柱に取り付けるため前記共架アームの上位に位置する上位取付金具と、該上位取付金具の下方に位置する下位取付金具とを有し、前記上位
取付金具は、上下方向に開口したアーム通し孔を有し、該アーム通し孔を形成する壁面で前記共架アームの水平方向の位置を規制することで前記共架アームを回動可能に保持し、前記下位取付金具は、底部を有する管状の管部を有し、該管部において前記共架アームの下端を受容することで、前記共架アームを回動可能に保持することを特徴とする街路灯でもよい。
【００１０】
前記位置決め手段は、前記上位取付金具において、前記共架アームを横方向から押圧するボルトと、前記下位取付金具において、前記共架アームの下端部を締め付けるロックナットとを有することを特徴とする。
【００１１】
前記上位取付金具及び前記下位取付金具は、各々上下に異なる位置において電柱に固定されており、前記アーム通し孔は、円形をした第一アーム通し孔及び、第二アーム通し孔が交わってできた形状をしており、前記上位取付金具が固定される位置における電柱の太さと、前記下位取付金具が固定される位置における電柱の太さの関係に応じて、前記共架アームに、前記第一アーム通し孔を貫通させるか、前記第二アーム通し孔を貫通させるかを変更可能としたことを特徴とする。
【００１２】
本発明は、街路灯の支柱であり電柱に取り付けられる共架アームの電柱への取付方法であって、前記共架アームを回動可能に装着する取付金具を電柱に取り付ける工程と、前記共架アームを前記取付金具に装着する工程と、前記取付金具に装着された前記共架アームを左右に回動させて、道路に対して所定位置となるよう調整する工程と、前記共架アームを前記取付金具に固定する工程と、を有する共架アームの電柱への取付方法でもある。
【発明の効果】
【００１３】
街路灯の灯部を、電柱の既設物により邪魔されることなく、道路に対して直交するように設置することができる。
【図面の簡単な説明】
【００１４】
【図１】本発明の実施例１に係る街路灯の取付状態を示す全体斜視図である。
【図２】図１の領域ＩＩの拡大図である。
【図３】図２の分解斜視図である。
【図４】図２の正面図である。
【図５】図２の側面図である。
【図６】本発明に係る共架アームを電柱に取り付けるための取付金具のうち下位にある下位取付金具及びそれに関連する部品の拡大全体斜視図である。
【図７】図６の分解斜視図である。
【図８】図４のＶＩＩＩ−ＶＩＩＩ線断面図である。
【図９】図８のＩＸ−ＩＸ線断面図である。
【図１０】図８の矢印Ｘ方向から見た図である。
【図１１】本発明に係る共架アームを電柱に取り付けるための取付金具のうち上位にある上位取付金具の全体斜視図である。
【図１２】図１１の平面図である。
【図１３】図１２のＸＩＩＩ−ＸＩＩＩ線断面図である。
【図１４】本発明の実施例２に係る街路灯の取付状態を示す要部斜視図であって、段差のある電柱に共架アームを取り付けた状態を示す図である。
【図１５】図１４の矢印ＸＶ方向から見た図である。
【図１６】図１５のＸＶＩ−ＸＶＩ線断面図である。
【図１７】本発明の実施例２に係る街路灯の取付状態を示す要部斜視図であって、段差のない電柱に共架アームを取り付けた状態を示す図である。
【図１８】図１７の矢印ＸＶＩＩＩ方向から見た図である。
【図１９】図１８のＸＩＸ−ＸＩＸ線断面図である。
【図２０】従来技術を説明するための図である。
【発明を実施するための形態】
【００１５】
以下、この発明を実施するための形態（以下、実施形態）を実施例に基づいて例示的に説明する。ただし、この実施例に記載されている構成部品の寸法、材質、形状その相対配置などは、特に特定的に記載がない限りは、この発明の範囲をそれらに限定する趣旨ではない。
【実施例１】
【００１６】
本発明に係る街路灯１は、電柱２に取り付けられる共架アーム３と、この共架アーム３に取付けられ、光を発する発光部及び安定器（いずれも図示せず）が設けられた灯部４と、共架アーム３を電柱２に取り付けるための設置部材としての取付金具５と、取付金具５を電柱２に取り付けるため電柱に巻着される自在バンド６と、共架アーム３を電柱の所定位置に固定して位置決めするための位置決め手段７と、共架アーム３を所定位置に固定するにあたり、共架アームを電柱に対して左右に回動させるための回動部材５２１とを有する（図１〜図３参照）。
【００１７】
以下、これらについて詳述する。
電柱２は、段差のない例えばコンクリート製の電柱である。
共架アーム３は、これを電柱２に取り付けたときの形状が、丸管の一端部（上端部）を湾曲させてＪの字を倒立させた如き形状をしている（図１〜図３、図５参照）。そして、共架アーム３の一端部に灯部取付軸３ａが取り付けられている（図５参照）。灯部取付軸３ａは、共架アーム３よりも小径な棒状体又は管体である。灯部取付軸３ａを介して、灯部４が共架アーム３に取り付けられる。
【００１８】
また、共架アーム３の他端部（下端部）には、ねじ切り部３２が形成されている（図２、図３、図６、図７参照）。当該ねじ切り部３２は、共架アーム３の他端に溶接ニップル３０を取り付けることにより確保される。
【００１９】
溶接ニップル３０は、円筒形状をした金属管であり、共架アーム３を形成する丸管の内径よりも小径である（図６〜図９参照）。そして、溶接ニップル３０の軸方向における略中央には、外向きフランジ３０１が溶接されている（図６、図７、図９参照）。
【００２０】
以下、共架アーム３を電柱２に設置した状態において、上方を上といい、下方を下という。また、電柱２に取り付けられた共架アーム３に正対して右方を右といい、左方を左という、さらに、電柱２に取り付けられた共架アーム３に正対して手前側を前といい、向こう側を後ろということにする。
【００２１】
溶接ニップル３０の外向きフランジ３０１は、その外径が、共架アーム３の外径と略同じである（図７参照）。そして、溶接ニップル３０は、その軸方向において、外向きフランジ３０１を境に一方の側（下側）にのみねじ切りがされ、これがねじ切り部３２に相当する。溶接ニップル３０は、外向きフランジ３０１を介して、共架アーム３の下端に溶接され、もって両者は一体化される（図７、図９参照）。
【００２２】
また、ねじ切り部３２には、一対のロックナット３３が螺着されるようになっており（図７、図９参照）、これを締めることにより、共架アーム３が、取付金具５（図３、図４参照）の後述する下位取付金具５２に固定される。なお、符号３３３（図２〜図４、図６及び図７参照）で示すものは、市販のユーピロンブッシングである。
【００２３】
灯部４は、発光部（光源）として、例えばセラミックメタルハライドランプが用いられているが、水銀灯であってもよい。発光部は図示しない安定器によって、ランプの放電を開始し、また放電の安定を維持する。
【００２４】
取付金具５は、上位取付金具５１と下位取付金具５２とからなる（図２〜図５参照）。そして、共架アーム３の下端部に位置するのが、下位取付金具５２であり（図２〜図１０参照）、共架アーム３のうち下位取付金具５２よりも上方に位置するのが上位取付金具５１である（図２〜図５、図１１〜図１３参照）。この実施形では、下位取付金具５２と上位取付金具５１との間隔は５５０ｍｍから７５０ｍｍの範囲で離隔されている（図４参照）。
【００２５】
図６〜図１０に示すように、下位取付金具５２は、共架アーム３の下端部３１が入る両端開口の管部５２１と、管部５２１の軸方向における略中央でかつ管部５２１の周囲の略半分に巻き付けられ、当該巻き付けられた部分が管部５２１に溶接された金属製のベルト部材５２３と、管部５２１の下端に溶接された底部としてのフランジ５２５とからなる。
【００２６】
管部５２１は、溶接ニップル３０が取り付けられた共架アーム３の下端部が挿入される箇所である（図６、図９参照）。管部５２１の内径は共架アーム３の外径よりも大きい。よって、管部５２１の内表面と共架アーム３の外表面との間に隙間Ｓができるので（図８、図９参照）、管部５２１内で、共架アーム３を左右に回動することが可能である。よって、管部５２１を回動部材ということにする。また、管部５２１には、その下端に水抜き孔５２１ａが形成されている（図９、図１０参照）。水抜き孔５２１ａは、下位取付金具５２に入った雨水を下位取付金具５２から除去するための孔である。
【００２７】
ベルト部材５２３は、平面形状が略Ｖ字形状をしており（図８参照）、その屈曲部５２４側が管部５２１の外周面の曲率に合わせて湾曲されている。また、ベルト部材５２３の自由端側は、その先端部が、外側に折り曲げられてなる一対の折曲片５２３ｂが、ベルト部材５２３の外側に拡開されることにより形成されている（図６〜図８参照）。当該拡開の程度は、電柱２の外周面の曲率にほほ合致する程度である。また当該折曲片５２３ｂの基端近傍には自在バンド６の通されるバンド通し孔５２３ａが形成されている（図２〜図９参照）。また、ベルト部材５２３は、屈曲部５２４側が、管部５２１の外表面と溶接されている。
【００２８】
フランジ５２５は、リング形状をしており、その中央に溶接ニップル３０及びそのねじ切り部３２が通る通し孔５２５ａが形成されている（図７、図９参照）。また、フランジ５２５は、これが管部５２１の下端に溶接されることで管部５２１と一体形成されている。当該一体形成されたときに外向きフランジ部５２５ｏと内向きフランジ部５２５ｉとが形成されるようにフランジ５２５の幅方向中央で、管部５２１の下端に溶接する（図７、図９参照）。
【００２９】
なお、内向きフランジ部５２５ｉは、溶接ニップル３０の外向きフランジ３０１が載置される箇所であり（図９参照）、内向きフランジ部５２５ｉと溶接ニップル３０の外向きフランジ３０１とは溶接されていない。このため、管部５２１内において、共架アーム３を左右に回動させることができる。よって、共架アーム３のことを可変アームということもできる。
【００３０】
上位取付金具５１は、概略競技用のトラック形状の外径を有する板材をその両側で折り曲げることにより側面から見た形状がコ字形状になる主部５１１（図２〜図４、図１１〜１３参照）と、主部５１１の自由端部を支える支柱板５１２（図２〜図４、図１１〜図１３参照）と、主部５１１の背面に形成され反自由端部側後方に延びる一対の取付アーム５
１３（図２〜図４、図１１〜図１３参照）とからなる。
【００３１】
主部５１１は、既述のようにコ字形に折り曲げられることにより、上板部５１４ｕと、下板部５１４ｄと、両者を接続する背板部５１４ｂとからなる（図２〜図４、図１１、図１３参照）。上板部５１４ｕと下板部５１４ｄとは同一形状をしており、本実施形態では、平面で見た外形状が釣り鐘形状をしている（図１１、図１２参照）。そして、それらの中央には、共架アーム３を通すアーム通し孔５１５（図３、図１１〜図１３参照）がそれぞれ形成されている。アーム通し孔５１５の寸法は、共架アーム３が通過可能なように設定されている。
【００３２】
アーム通し孔５１５は、その平面形状が半円形をした半円形部位５１５ａと、同じく平面形状で等脚台形をした等脚台形部位５１５ｂとを接続した如き形状をした孔である（図１２参照）。上位取付金具５１を自在バンド６で電柱２に取り付けたときに電柱２から離れる側に半円形部位５１５ａが位置し、電柱２に近い側に等脚台形部位５１５ｂが位置するように形成されている（図２、図１２参照）。
【００３３】
そして、位置決め手段７で共架アーム３を電柱２に固定したときに台形の脚に相当する部位である脚部５１５ｌに共架アーム３が当接するようになっている（図１２参照）。そして、当該当接箇所において、脚部５１５ｌが、恰も共架アーム３の接線のようになることが可能に形成されている。なお、脚部５１５ｌに共架アーム３が当接している状態にあるとき、半円形部位５１５ａと、共架アーム３とは離隔されるようにアーム通し孔５１５の大きさと、共架アーム３の直径が決められている（図１１〜図１３参照）。
【００３４】
支柱板５１２は、上板部５１４ｕと下板部５１４ｄとをそれらの自由端部で連結する板であり（図２、図３、図１１、図１３参照）、支柱板５１２の下部には後述するボルト７３の通るボルト通し孔７０が穿孔されている（図２、図３、図１１〜図１３参照）。そして、当該ボルト通し孔７０と同軸でかつ支柱板５１２の内側面にはナット７１が溶接されている（図３、図１１〜図１３参照）。このナットを固定ナットという。
【００３５】
また、固定ナット７１と螺合するボルト７３が設けられ（図２、図３、図１１〜図１３参照）、ボルト７３を締め付けると、ボルト７３の軸部先端によって共架アーム３がアーム通し孔５１５の等脚台形部位５１５ｂの側に押しやられ共架アーム３がロックされる。ボルト７３の押圧力により、共架アーム３をその中心軸周りに回転しないように固定することができる。またボルト７３のボルト頭７３ａと支柱板５１２との間には、ボルト７３の軸部７３ｂと螺合するロックナット７５が設けられている（図２、図３、図１１〜図１３参照）。ロックナット７５を設けることで、ロックナット７５と固定ナット７１との間でロックがされるとともにボルト７３と固定ナット７１との間でもロックされるのでＷロックされる形になり、共架アーム３の強固なロックを期待できる。
【００３６】
支柱板５１２に穿孔されたボルト通し孔７０と、固定ナット７１と、ボルト７３と、ロックナット７５とにより位置決め手段７が形成される（図２、図３、図１１〜図１３参照）。
【００３７】
上位取付金具５１の背板部５１４ｂに形成されている取付アーム５１３は、背板部５１４ｂから電柱側へ向けて延在してなる一対の平行な板部材である（図２、図３、図１１〜図１３参照）。そして、自由端側の先端部を外側に折り曲げることで一対の折曲片５１３ｂが形成される（図２、図３、図１１〜図１３参照）。また、当該折曲片５１３ｂの近傍には、自在バンド６の通されるバンド通し孔５１３ａが形成されている（図２、図３、図１１〜図１３参照）。一対の折曲片５１３ｂの拡開の程度は、電柱の曲率にほほ合致する程度である。
【００３８】
自在バンド６は、電柱２に巻着される一対のバンド体であって、既述の如く、下位取付金具５２のバンド通し孔５２３ａに通される自在バンド６ｄと（図２及び図３参照）、上位取付金具５１のバンド通し孔５１３ａに通される自在バンド６ｕと（図１〜図３参照）がある。
【００３９】
次にこのような街路灯１の組付手順について述べる。なお、共架アーム３には、予め溶接ニップル３０が溶接されているものとする。
手順（１）共架アーム３を回動可能に装着する、上位取付金具５１及び下位取付金具５２をそれぞれ自在バンド６ｕ及び６ｄを用いて電柱２に取り付ける。当該取付にあたり、上位取付金具５１のバンド通し孔５１３ａと下位取付金具５２のバンド通し孔５２３ａに電柱２へ巻着した自在バンド６ｕ及び６ｄを通す（図１〜図３参照）。
【００４０】
なお、上位取付金具５１及び下位取付金具５２を電柱に取り付けたときに上位取付金具５１のアーム通し孔５１５と、下位取付金具５２の管部５２１とはいずれも同一軸線上にあるものとする。
【００４１】
手順（２）共架アーム３を図示しないクレーン車で吊って、その下端を上位取付金具５１の上板部５１４ｕのアーム通し孔５１５−同じく下板部５１４ｄのアーム通し孔５１５−下位取付金具５２の管部５２１の順で通す。このとき、上位取付金具５１に設けられている位置決め手段７のボルト７３を緩めておき、ボルト７３の軸部７３ｂによって、共架アーム３の進行が妨げられないようにしておく。
【００４２】
また、電柱２に予め取り付けられてある、通信線、光ファイバー線、広告物その他の、電柱２への付属物が、街路灯１を電柱２に設置するのに障害とならない位置に共架アーム３があるように取り付ける。つまり、これらの障害物の隙間をぬって共架アーム３を設置する（図１、図２参照）。
【００４３】
手順（３）次に当該設置にあたり、共架アーム３を電柱２に対して左右に回動し、灯部４を道路に対して直交させて設置位置を決める（図１、図４参照）。
【００４４】
手順（４）共架アーム３の設置位置（水平方向の位置）が規制されたら、ロックナット７５を固定ナット７１に対して締め付けるとともに、ボルト７３をも固定ナット７１に対して締め付けてＷロックを行い、共架アーム３の位置決めを確定する。
【００４５】
手順（５）共架アーム３の下端にある一対のロックナット３３を締め付ける。当該締め付けにより、共架アーム３が、下位取付金具５２に固定される。
【００４６】
手順（６）灯部４をクレーンで吊り上げて、当該灯部４を共架アーム３の先端にある灯部取付軸３ａに対し、ビスその他の周知の取付手段で取り付ける。灯部４の取付けにあたり灯部４の発光部に電流を供給する図示しない電線を共架アーム３内に通す。
【００４７】
手順（７）通し終わったらユーピロンブッシング３３３に電線を通し、ユーピロンブッシング３３３を共架アーム３のねじ切り部３２に螺合する。
【００４８】
次に実施例１の作用効果について述べる。
街路灯１は、その支柱である共架アーム３と、この共架アーム３に取付けられ、光を発する発光部が設けられた灯部４と、共架アーム３を電柱２に設置するための取付金具５と、この取付金具５で電柱２に取り付けられた共架アーム３を道路に対して左右に回動させるための下位取付金具５２の管部５２１とを有する。
【００４９】
したがって、既設物として電柱に取り付けられている通信線、光ファイバー線、広告物その他の付属物を回避して、かつ街路灯１の灯部４を道路に対して直交するように設置することができる。したがって、付属物の有無に拘わらず、光害の発生を抑制することができる（図１のグラデーション参照）。
【００５０】
また、街路灯の組み付けにあたり、共架アーム３を上位取付金具５１や下位取付金具５２に取付けた後、共架アーム３を電柱２に対して左右に回動することで、灯部４を道路に対して直交させて設置位置を最終的に決めるようになっている。よって、上位取付金具５１や下位取付金具５２の位置決めを厳格に行う必要がない。よって共架アームの取付が容易になる。
【実施例２】
【００５１】
実施例２は、段付鋼板製の電柱のように段差のある電柱にも、または実施例１で示した如く段差のないコンクリート製の電柱にも、街路灯１を取り付けられるようにしたものを開示する。
【００５２】
そのために使用されるものが、実施例２に係る上位取付金具５１Ａである（図１４〜図１９参照）。
【００５３】
ここで、段差のある電柱とは外径の太い部分と外径の細い部分とからなり、両者の境目に段差を生じる電柱である。また、段差のない電柱とは、このような段差がなくその径の大きさが、段差のある電柱の太い部分の径と略同一径の電柱をいう。なお、段差のある電柱において、外径の太い部分と外径の細い部分との径差を二分したものをこの明細書では段差寸法といい符号２ｒで示す（図１５参照）。
【００５４】
そして、実施例２に係る上位取付金具５１Ａが、実施例１に係る上位取付金具５１と相違する点は、上板部５１４ｕと、下板部５１４ｄとにそれぞれ形成されているアーム通し孔５１５Ａの形状、及び位置決め手段の取付箇所が、段差のある電柱２Ａに適用する場合と段差のない電柱２とに適用する場合とでそれぞれ別々に設けられる点である。よって、実施例１と同一の箇所には同一の符号を付して説明を省略する。
【００５５】
アーム通し孔５１５Ａは、円形をした第一アーム通し孔５１５Ｂ及び第二アーム通し孔５１５Ｃ同士が交わってできた如き形状をしている。そして、アーム通し孔５１５Ａは、上位取付金具５１Ａの上板部５１４ｕ及び下板部５１４ｄの長手方向にそれぞれ延びている（図１４、図１６、図１７、図１９参照）。換言すると、上板部５１４ｕ及び下板部５１４ｄの長手方向に沿って第一及び第二アーム通し孔５１５Ｂ、５１５Ｃが並ぶようにアーム通し孔５１５Ａが形成されている。そして、これら２つのアーム通し孔５１５Ｂ、５１５Ｃのうち、第一アーム通し孔５１５Ｂは、上板部５１４ｕ及び下板部５１４ｄの自由端側に形成され、第二アーム通し孔５１５Ｃは、アーム通し孔５１５Ｂから所定距離基端側に離れて形成されている。所定距離とは段差寸法と同じ２ｒである。アーム通し孔５１５Ｂは、段差のある電柱２Ａに共架アーム３が使用される場合に適用され（図１４〜図１６参照）、第二アーム通し孔５１５Ｃは、段差のない電柱２に共架アーム３が使用される場合に適用される（図１７〜図１９参照）。
【００５６】
また、背板部５１４ｂには、段差のある電柱２Ａに適用される位置決め手段７Ｂが設けられている（図１４〜図１６参照）。位置決め手段７Ｂは、ボルト通し孔７０Ｂと、固定ナット７１Ｂと、ボルト７３Ｂと、ロックナット７５Ｂとからなる。
【００５７】
位置決め手段７Ｂは、支柱板５１２に設けられている位置決め手段７のボルト通し孔７
０と同軸に設けられている（図１４参照）。なお、段差のある電柱２Ａへの適用に伴いアーム通し孔５１５Ｂが使用される場合は、位置決め手段７は使用しない。よって、背板部５１４ｂに位置決め手段７を設けない。つまり、ボルト７３と、固定ナット７１と、ロックナット７５とは、上位取付金具５１Ａから外される。
【００５８】
次に段差のない電柱２に使用される第二アーム通し孔５１５Ｃが使用される場合は、反対に位置決め手段７Ｂを使用せず実施例１で述べたと同様、位置決め手段７を使用して、第二アーム通し孔５１５Ｃに通した共架アーム３を固定する（図１７〜図１９参照）。よって、位置決め手段７Ｂを構成する部材のうちボルト７３Ｂと、固定ナット７１Ｂと、ロックナット７５Ｂとは、上位取付金具５１Ａから外される。
【００５９】
次に、このような上位取付金具５１Ａを用いた場合の街路灯１の組付手順について述べる。
最初に段差のある電柱２Ａに街路灯１を組み付ける場合について述べる。なお、手順３以降は、実施例１の場合と同じであるので説明を省略する。
【００６０】
手順（１）上位取付金具５１Ａ及び下位取付金具５２をそれぞれ自在バンド６ｕ及び６ｄを用いて電柱２Ａに取り付ける。当該取付にあたり、上位取付金具５１Ａのバンド通し孔５１３ａ及び下位取付金具５２のバンド通し孔５２３ａにそれぞれ電柱２Ａに巻着した自在バンド６ｕ及び６ｄを通す（図１４〜図１６参照）。
【００６１】
手順（２）共架アーム３を図示しないクレーン車で吊って、その下端を段差のある電柱２Ａに適用される、上位取付金具５１Ａの上板部５１４ｕにおける第一アーム通し孔５１５Ｂ−上位取付金具５１Ａの下板部５１４ｄの第一アーム通し孔５１５Ｂ−下位取付金具５２の管部５２１の順で通す。このとき、上位取付金具５１Ａに設けられている位置決め手段７Ｂのボルト７３Ｂを緩めておき、ボルト７３Ｂの軸部７３ｂによって、共架アーム３の進行が妨げられないようにしておく。また、電柱に取り付けてある、通信線、光ファイバー線、広告物その他の、電柱２Ａへの付属物が、街路灯１を電柱２Ａに設置するのに障害とならない位置に共架アーム３があるように取り付ける。つまり、これらの障害物の隙間をぬって共架アーム３を設置する。当該設置にあたり、共架アーム３を電柱に対して左右に回動し、灯部４が道路に対して直交するように設置する。
【００６２】
次に段差のない電柱２Ａに街路灯１を組み付ける場合について述べる。なお、この場合も手順３以降は、実施例１の場合と同じであるので説明を省略する。
手順（１）上位取付金具５１Ａ及び下位取付金具５２をそれぞれ自在バンド６ｕ及び６ｄを用いて電柱２Ａに取り付ける。当該取付にあたり、上位取付金具５１Ａのバンド通し孔５１３ａ及び下位取付金具５２のバンド通し孔５２３ａにそれぞれ電柱２Ａに巻着した自在バンド６ｕ及び６ｄを通す（図１７〜図１９参照）。
【００６３】
手順（２）共架アーム３を図示しないクレーン車で吊って、その下端を段差のない電柱２Ａに適用される、上位取付金具５１Ａの上板部５１４ｕにおける第二アーム通し孔５１５Ｃ−上位取付金具５１Ａの下板部５１４ｄの第二アーム通し孔５１５Ｃ−下位取付金具５２の管部５２１の順で通す。このとき、上位取付金具５１Ａに設けられている位置決め手段７のボルト７３を緩めておき、ボルト７３の軸部７３ｂによって、共架アーム３の進行が妨げられないようにしておく。
【００６４】
また、電柱２に取り付けてある、通信線、光ファイバー線、広告物その他の、電柱２への付属物が、街路灯１を電柱２に設置するのに障害とならない位置に共架アーム３があるように取り付ける。つまり、これらの障害物の隙間をぬって共架アーム３を設置する。当該設置にあたり、共架アーム３を電柱２に対して左右に回動し、灯部４が道路に対して直
交するように設置する。
【００６５】
次に実施例２の作用効果を説明する。
第一アーム通し孔５１５Ｂと第二アーム通し孔５１５Ｃとの位相差は段差寸法２ｒ分である。つまり当該位相差は、既述した段差寸法２ｒと同じ寸法である。このように位相差と段差寸法とが同じであるので、段差のある電柱にも段差の無い電柱にも共架アームの取付が可能である。
【００６６】
実施例２では、段付鋼板製の電柱のように段差のある電柱にも、実施例１で示した如く段差のない電柱にも同一の上位取付金具５１Ａを兼用して街路灯１を電柱に取り付けられるので、部品の節約になる。
また、実施例２では、アーム通し孔５１５Ａは、円形をした、第一アーム通し孔５１５Ｂ及び第二アーム通し孔５１５Ｃ同士が交わってできた如き形状をしたものを開示した。しかし、第一アーム通し孔と第二アーム通し孔とは円形である必要はない。例えば、これらの孔に共架アーム３の下端部を通したときに、共架アーム３の下端部の接線を形成するような箇所がアーム通し孔５１５Ａの外形状に形成されているものであってもよい。要は、共架アーム３の下端部が位置決めできる形状であればアーム通し孔５１５Ａの形状は如何なる形状でもよい。
【符号の説明】
【００６７】
１ 街路灯
２ 段差のない電柱
２Ａ 段差のある電柱
２ｒ 段差寸法
３ 共架アーム（可変アーム）
３ａ 灯部取付軸
４ 灯部
５ 取付金具（設置部材）
６ 自在バンド
６ｄ 自在バンド
６ｕ 自在バンド
７ 位置決め手段
７Ｂ 位置決め手段
３０ 溶接ニップル
３１ 共架アームの下端部
３２ ねじ切り部
３３ ロックナット
５１ 上位取付金具
５１Ａ 上位取付金具
５２ 下位取付金具
７０ ボルト通し孔
７０Ｂ ボルト通し孔
７１ 固定ナット
７１Ｂ 固定ナット
７３ ボルト
７３Ｂ ボルト
７３ａ ボルト頭
７３ｂ 軸部
７５ ロックナット
７５Ｂ ロックナット
３０１ フランジ
３３３ ユーピロンブッシング
５１１ 主部
５１２ 支柱板
５１３ 取付アーム
５１３ａ バンド通し孔
５１３ｂ 折曲片
５１４ｂ 背板部
５１４ｄ 下板部
５１４ｕ 上板部
５１５ アーム通し孔
５１５Ａ アーム通し孔
５１５Ｂ 第一アーム通し孔
５１５Ｃ 第二アーム通し孔
５１５ａ 半円形部位
５１５ｂ 等脚台形部位
５１５ｌ 脚部
５２１ 管部（回動部材）
５２１ａ 水抜き孔
５２３ ベルト部材
５２３ａ バンド通し孔
５２３ｂ 折曲片
５２４ 屈曲部
５２５ フランジ
５２５ａ 通し孔
５２５ｉ 内向きフランジ部
５２５ｏ 外向きフランジ部
Ｓ 隙間
【図１】
2013251062.tif 000003
【図２】
2013251062.tif 000004
【図３】
2013251062.tif 000005
【図４】
2013251062.tif 000006
【図５】
2013251062.tif 000007
【図６】
2013251062.tif 000008
【図７】
2013251062.tif 000009
【図８】
2013251062.tif 000010
【図９】
2013251062.tif 000011
【図１０】
2013251062.tif 000012
【図１１】
2013251062.tif 000013
【図１２】
2013251062.tif 000014
【図１３】
2013251062.tif 000015
【図１４】
2013251062.tif 000016
【図１５】
2013251062.tif 000017
【図１６】
2013251062.tif 000018
【図１７】
2013251062.tif 000019
【図１８】
2013251062.tif 000020
【図１９】
2013251062.tif 000021
【図２０】
2013251062.tif 000022